(57)【要約】【課題】プッシャ台、景品押し出し部材の形態を改良して遊戯の面白さを向上させ、また、より多くの種類の景品が扱える景品払い出しゲーム機の景品押し出し装置を提供する。【解決手段】着脱可能に設けられた複数の軸部材１６１を用いて、プッシャ台座１６の景品載置部を形成し、また、軸部材１６１間に形成された隙間を景品Ｇの転がり防止用のスリットＳとして利用し、さらに、軸部材１６１の本数等を変更することによりスリットＳの幅を変更して、景品Ｇの転がりやすさ等を調整可能とした。【選択図】図３
2007000401.tif 000002
【特許請求の範囲】
【請求項１】
内部に配置された景品を、景品獲得口に押し出して外部に払い出す景品払い出しゲーム機の景品押し出し装置において、
前記景品が載置される景品載置部を有し、景品押し出し方向に対して平行に少なくとも１つのスリットを有するプッシャ台座と、
前記スリットから突出するように設けられ、前記景品押し出し方向に往復移動して前記景品を押し出す景品押し出し部を有する景品押し出し部材と、
を備えた景品払い出しゲーム機の景品押し出し装置。
【請求項２】
請求項１に記載の景品払い出しゲーム機の景品押し出し装置において、
前記プッシャ台座は、前記スリットの幅が変更可能であること、
を特徴とする景品払い出しゲーム機の景品押し出し装置。
【請求項３】
請求項１又は請求項２に記載の景品払い出しゲーム機の景品押し出し装置において、
前記プッシャ台座は、着脱可能に設けられた複数の軸部材を備え、
前記スリットは、前記軸部材間に設けられた隙間であること、
を特徴とする景品払い出しゲーム機の景品押し出し装置。
【請求項４】
請求項１から請求項３までのいずれか１項に記載の景品払い出しゲーム機の景品押し出し装置において、
前記景品載置部の高さは、前記景品移動方向及び／又は幅方向に応じて異なること、
を特徴とする景品払い出しゲーム機の景品押し出し装置。
【請求項５】
請求項１から請求項４までのいずれか１項に記載の景品払い出しゲーム機の景品押し出し装置において、
前記景品載置部の高さは、前記景品移動方向又は前記幅方向の位置に応じて規則的に変化していること、
を特徴とする景品払い出しゲーム機の景品押し出し装置。
【請求項６】
請求項１から請求項５までのいずれかに記載の景品払い出しゲーム機の景品押し出し装置において、
前記景品押し出し部材は、前記景品押し出し部を着脱可能に保持すること、
を特徴とする景品払い出しゲーム機の景品押し出し装置。
【請求項７】
請求項１から請求項６までのいずれか１項に記載の景品払い出しゲーム機の景品押し出し装置において、
前記景品押し出し部は、前記景品押し出し方向からの投影形状の面積を部分的に拡大する面積拡大部を有すること、
を特徴とする景品払い出しゲーム機の景品押し出し装置。
【請求項８】
請求項１から請求項７までのいずれか１項に記載の景品払い出しゲーム機の景品押し出し装置において、
前記景品押し出し部は、前記景品押し出し方向における断面の外形の前記景品押し出し方向前側及び／又は後側に、なだらかな曲線部及び／又は直線部を有すること、
を特徴とする景品払い出しゲーム機の景品押し出し装置。
【請求項９】
請求項１から請求項８までのいずれか１項に記載の景品払い出しゲーム機の景品押し出し装置において、
前記景品押し出し部は、前記景品押し出し方向に屈曲可能であること、
を特徴とする景品払い出しゲーム機の景品押し出し装置。
【請求項１０】
請求項１から請求項９までのいずれか１項に記載の景品払い出しゲーム機の景品押し出し装置において、
前記景品押し出し部材は、前記景品押し出し部を幅方向の軸回りに回転する回転機構を備えること、
を特徴とする景品払い出しゲーム機の景品押し出し装置。
【請求項１１】
請求項１０に記載の景品払い出しゲーム機の景品押し出し装置において、
景品押し出し部材は、
前記幅方向の軸回りに、大きさの異なる複数の前記景品押し出し部を備え、
前記景品押し出し部を前記幅方向の軸回りに所定の角度回転することにより、前記プッシャ台座の前記景品載置部と前記景品押し出し部の先端との距離が変更可能なこと、
を特徴とする景品払い出しゲーム機の景品押し出し装置。
【請求項１２】
請求項１０に記載の景品払い出しゲーム機の景品押し出し装置において、
前記景品押し出し部材は、
前記幅方向の軸回りに、複数の前記景品押し出し部を備え、
所定の条件に応じて規則的に又は不規則に、前記軸回りに前記景品押し出し部を回転駆動することにより、前記プッシャ台座に載置された景品を前記景品獲得口に押し出して大量払い出しすること、
を特徴とする景品払い出しゲーム機の景品押し出し装置。
【請求項１３】
請求項１から請求項１２までのいずれか１項に記載の景品払い出しゲーム機の景品押し出し装置において、
前記プッシャ台座と前記景品押し出し部とを、前記景品押し出し方向の軸回りに回転する回転機構を備えること、
を特徴とする景品払い出しゲーム機の景品押し出し装置。
【請求項１４】
請求項１から請求項１３までのいずれか１項に記載の景品払い出しゲーム機の景品押し出し装置において、
前記景品押し出し部は、前記スリットからの突出量が変化すること、
を特徴とする景品払い出しゲーム機の景品押し出し装置。
【発明の詳細な説明】
【技術分野】
【０００１】
本発明は、景品を景品獲得口に落下させる景品払い出しゲーム機の景品押し出し装置に関するものである。
【背景技術】
【０００２】
従来から、内部のストックフィールドに置かれた種類の異なる景品を、景品押し出し装置を用いて、景品獲得口に落として外部に払い出す景品払い出しゲーム機があった（例えば、特許文献１）。
このタイプのゲーム機の遊戯方法について簡単に説明する。
最初に、遊戯者は、クレーンを模した景品拾い上げ装置を操作してストックフィールド（ディスプレイ台）の景品を拾い上げ、さらに、景品押し出し装置の上に落下させる。景品押し出し装置は、固定テーブル（プッシャ台座）とこの上を景品獲得口の方向に往復移動する移動テーブルとから構成される。景品は、固定テーブルの上に落下したときは、移動テーブルによって景品獲得口の方向に押し出される。一方、移動テーブルの上に落下したときは、ゲーム機の中心に設けられた支柱により内側への移動が妨げられ、固定テーブルの上に落下し、さらに、移動テーブルにより景品獲得口の方向に押し出される。これらの動作が繰り返されることにより、固定テーブル上に景品が蓄積され、景品獲得口の方向に徐々に移動して、最終的に景品獲得口に景品が落下する。そして、景品が外部に払い出され、遊戯者は、景品を獲得することができる。
【０００３】
しかし、このタイプの景品払い出しゲーム機の景品押し出し装置は、以下の問題があった。
（１）固定テーブルの上に景品を落下した後は、移動テーブルが往復移動して景品を押し出すだけなので、遊戯が単調であり、面白みが欠ける。
（２）球体の景品は、固定テーブルの上を転がってしまうので扱えない。逆に、ゴム製品等の摩擦抵抗が大きい景品は、固定テーブル上を適切に移動できない。
（３）固定テーブル、移動テーブルは、その形状、サイズが決まっているので、遊戯の形態を変更できない。
（４）遊戯者は、固定テーブルの上に蓄積された景品の状況から、景品を落下することができないと判断し、遊戯を行わない場合がある。
【特許文献１】実公平３−４５７５１号公報
【発明の開示】
【発明が解決しようとする課題】
【０００４】
本発明の課題は、プッシャ台、景品押し出し部材の形態を改良して遊戯の面白さを向上させ、また、より多くの種類の景品が扱える景品払い出しゲーム機の景品押し出し装置を提供することである。
【課題を解決するための手段】
【０００５】
前記課題を解決するために、請求項１の発明は、内部に配置された景品を、景品獲得口に押し出して外部に払い出す景品払い出しゲーム機の景品押し出し装置において、前記景品が載置される景品載置部を有し、景品押し出し方向に対して平行に少なくとも１つのスリットを有するプッシャ台座と、前記スリットから突出するように設けられ、前記景品押し出し方向に往復移動して前記景品を押し出す景品押し出し部を有する景品押し出し部材と、を備えた景品払い出しゲーム機の景品押し出し装置である。
【０００６】
請求項２の発明は、請求項１に記載の景品払い出しゲーム機の景品押し出し装置において、前記プッシャ台座は、前記スリットの幅が変更可能であること、を特徴とする景品払い出しゲーム機の景品押し出し装置である。
請求項３の発明は、請求項１又は請求項２に記載の景品払い出しゲーム機の景品押し出し装置において、前記プッシャ台座は、着脱可能に設けられた複数の軸部材を備え、前記スリットは、前記軸部材間に設けられた隙間であること、を特徴とする景品払い出しゲーム機の景品押し出し装置である。
請求項４の発明は、請求項１から請求項３までのいずれか１項に記載の景品払い出しゲーム機の景品押し出し装置において、前記景品載置部の高さは、前記景品移動方向及び／又は幅方向に応じて異なること、を特徴とする景品払い出しゲーム機の景品押し出し装置である。
請求項５の発明は、請求項１から請求項４までのいずれか１項に記載の景品払い出しゲーム機の景品押し出し装置において、前記景品載置部の高さは、前記景品移動方向又は前記幅方向の位置に応じて規則的に変化していること、を特徴とする景品払い出しゲーム機の景品押し出し装置である。
請求項６の発明は、請求項１から請求項５までのいずれかに記載の景品払い出しゲーム機の景品押し出し装置において、前記景品押し出し部材は、前記景品押し出し部を着脱可能に保持すること、を特徴とする景品払い出しゲーム機の景品押し出し装置である。
請求項７の発明は、請求項１から請求項６までのいずれか１項に記載の景品払い出しゲーム機の景品押し出し装置において、前記景品押し出し部は、前記景品押し出し方向からの投影形状の面積を部分的に拡大する面積拡大部を有すること、を特徴とする景品払い出しゲーム機の景品押し出し装置である。
請求項８の発明は、請求項１から請求項７までのいずれか１項に記載の景品払い出しゲーム機の景品押し出し装置において、前記景品押し出し部は、前記景品押し出し方向における縦断面の外形の前記景品押し出し方向前側及び／又は後側に、なだらかな曲線部及び／又は直線部を有すること、を特徴とする景品払い出しゲーム機の景品押し出し装置である。
請求項９の発明は、請求項１から請求項８までのいずれか１項に記載の景品払い出しゲーム機の景品押し出し装置において、前記景品押し出し部は、前記景品押し出し方向に屈曲可能であること、を特徴とする景品払い出しゲーム機の景品押し出し装置である。
請求項１０の発明は、請求項１から請求項９までのいずれか１項に記載の景品払い出しゲーム機の景品押し出し装置において、前記景品押し出し部材は、前記景品押し出し部を幅方向の軸回りに回転する回転機構を備えること、を特徴とする景品払い出しゲーム機の景品押し出し装置である。
請求項１１の発明は、請求項１０に記載の景品払い出しゲーム機の景品押し出し装置において、景品押し出し部材は、前記幅方向の軸回りに、大きさの異なる複数の前記景品押し出し部を備え、前記景品押し出し部を前記幅方向の軸回りに所定の角度回転することにより、前記プッシャ台座の前記景品載置部と前記景品押し出し部の先端との距離が変更可能なこと、を特徴とする景品払い出しゲーム機の景品押し出し装置である。
請求項１２の発明は、請求項１０に記載の景品払い出しゲーム機の景品押し出し装置において、前記景品押し出し部材は、前記幅方向の軸回りに、複数の前記景品押し出し部を備え、所定の条件に応じて前記軸回りに前記景品押し出し部を回転駆動することにより、前記プッシャ台座に載置された景品を前記景品獲得口に押し出して大量払い出しすること、を特徴とする景品払い出しゲーム機の景品押し出し装置である。
請求項１３の発明は、請求項１から請求項１２までのいずれか１項に記載の景品払い出しゲーム機の景品押し出し装置において、前記プッシャ台座と前記景品押し出し部とを、前記景品押し出し方向の軸回りに回転する回転機構を備えること、を特徴とする景品払い出しゲーム機の景品押し出し装置である。
請求項１４の発明は、請求項１から請求項１３までのいずれか１項に記載の景品払い出しゲーム機の景品押し出し装置において、前記景品押し出し部は、前記スリットからの突出量が変化すること、を特徴とする景品払い出しゲーム機の景品押し出し装置である。
【発明の効果】
【０００７】
本発明によれば、以下の効果を奏することができる。
（１）本発明は、内部に配置された景品を、景品獲得口に押し出して外部に払い出す景品払い出しゲーム機の景品押し出し装置において、プッシャ台座は、景品が載置される景品載置部を有し、景品押し出し方向に対して平行に少なくとも１つのスリットを有する。また、景品押し出し部材は、スリットから突出するように設けられ、景品押し出し方向に往復移動して景品を押し出す景品押し出し部を有する。
これにより、景品押し出し装置は、その景品押し出し部の形態を、従来とは全く異なる形態にすることができるので、遊戯の面白さを向上することができる。また、スリットが転がり防止機能として作用するので、球体の景品を扱うことができる。すなわち、より多くの種類の景品を扱うことができる。さらに、スリットにより、プッシャ台座と景品との接触面積を小さくできるので、ゴム製品等の摩擦抵抗が大きい景品を、適切に押し出すことができる。さらにまた、景品押し出し部は、従来の移動テーブルよりも小さい部品を用いることができるので、シンプルな構造にでき、また、装置を小型化することができる。
【０００８】
（２）本発明は、スリットの幅を変更可能である。これにより、球体の景品の転がりやすさや、景品の大きさに応じた落下しやすさの調整等ができるので、遊戯の難易度を調整することができる。また、運営者等は、ゲーム機の遊戯態様を変更することができる。
【０００９】
（３）本発明は、プッシャ台座が着脱可能に設けられた複数の軸部材を備え、スリットは、軸部材間に設けられた隙間であるので、軸部材の本数を増減して軸部材間の隙間を調整することにより、スリットの幅を調整することができる。また、軸部材の本数を増減して景品載置部の幅を変更することができるので、より多くの大きさの景品を扱うことができる。
【００１０】
（４）本発明は、景品載置部の高さが、景品移動方向及び／又は幅方向に応じて異なるので、景品載置部の位置に応じて景品の押し出しやすさが変化するため、遊戯の面白さを向上することができる。
【００１１】
（５）本発明は、景品載置部の高さは、景品移動方向又は幅方向の位置に応じて規則的に変化している。景品移動方向又は幅方向おける位置に応じて景品の押し出しやすさが変化するので、遊戯の面白さを向上することができる。
【００１２】
（６）本発明は、景品押し出し部材が景品押し出し部を着脱可能に保持するので、景品押し出し部の数を増減して、景品の押し出しやすさを調整することができる。また、複数の形状の景品押し出し部を用意して交換することにより、景品押し出し部の形態を変更することができる。
【００１３】
（７）本発明は、景品押し出し部が、景品押し出し方向からの投影形状の面積を部分的に拡大する面積拡大部を有する。これにより、幅方向における位置に応じて、景品を押し出すための景品押し出し部の面積が異なることで、景品の押し出しやすさが変化するので、遊戯の面白さを向上することができる。また、景品押し出し部と景品とが接触する面積が大きくなるので、景品の損傷を防止することができる。
【００１４】
（８）本発明は、景品押し出し部の景品押し出し方向における縦断面の外形の景品押し出し方向前側及び／又は後側に、なだらかな曲線部及び／又は直線部を有する。すなわち、景品は、なだらかな曲線部や直線部に乗り上げ、さらに、景品押し出し部を乗り越すことができる。例えば、景品は、プッシャ台座の景品押し出し部よりも景品獲得口側に載置されたとき、景品押し出し部を乗り越えて、その反対側に移動する。これにより、景品押し出し装置は、押し出し動作に変化をつけることができ、遊戯の面白さを向上することができる。
【００１５】
（９）本発明は、景品押し出し部が、景品押し出し方向に屈曲可能であるので、景品押し出し部が景品を押し出そうとするときに、景品押し出し方向に屈曲することにより、（８）と同様に、景品が景品押し出し部を乗り越えることができ、また、景品の重量等の条件に応じた乗り越しやすさの調整を、より簡便にすることができる。さらに、景品を破損することを防止することができる。
【００１６】
（１０）本発明は、景品押し出し部材が、景品押し出し部を幅方向の軸回りに回転する回転機構を備えるので、景品押し出し動作に変化をつけることができる。
【００１７】
（１１）本発明は、景品押し出し部材が、幅方向の軸回りに、大きさの異なる複数の景品押し出し部が設けられ、景品押し出し部を幅方向の軸回りに所定の角度回転することにより、プッシャ台座の景品載置部と景品押し出し部の先端との距離（スリットからの突出量）が変更可能である。これにより、景品の押し出しやすさを変更することができる。
【００１８】
（１２）本発明は、景品押し出し部材が、幅方向の軸回りに、複数の景品押し出し部を備えている。そして、所定の条件に応じて規則的に又は不規則に、軸回りに景品押し出し部を回転駆動することにより、プッシャ台座に載置された景品を景品獲得口に押し出して大量払い出しする。これにより、遊戯の面白さを向上することができる。また、遊戯者は、プッシャ台に載置された景品の蓄積状態に左右されずに景品を払い出し、景品を獲得することができる。
【００１９】
（１３）本発明は、プッシャ台座と景品押し出し部とを、景品押し出し方向の軸回りに回転する回転機構を備え、景品載置面の景品を落下させることができる。このため、遊戯者は、プッシャ台座等のバランス等を考慮した戦略をたてる必要があり、遊戯をより楽しむことができる。
【００２０】
（１４）本発明は、景品押し出し部のスリットからの突出量が変化するので、景品押し出し部と景品との接触面積を変化させることができる。
【発明を実施するための最良の形態】
【００２１】
本発明は、プッシャ台、景品押し出し部材の形態を改良して遊戯の面白さを向上させ、また、より多くの種類の景品が扱える景品払い出しゲーム機の景品押し出し装置を提供するという目的を、着脱可能に設けられた複数の軸部材を用いて、プッシャ台座の景品載置部を形成し、また、軸部材間に形成された隙間を景品の転がり防止用のスリットとして利用し、さらに、軸部材の本数等を変更することによりスリットの幅を変更して、景品の転がりやすさ等を調整可能とすることによって実現した。
【実施例１】
【００２２】
以下、図面等を参照して、本発明の実施例をあげて、さらに詳しく説明する。
図１は、本発明を適用した景品押し出し装置の実施例１を備えた景品払い出しゲーム機１を示す斜視図である。
図２は、そのクレーン部を示す斜視図である。
実施例１の景品払い出しゲーム機１は、４つの遊戯領域２Ａ〜２Ｄを有し、内部に配置された景品Ｇを、クレーン部、景品押し出し装置を用いて、外部に払い出すゲーム機である。なお、以下の説明において、主に遊戯領域２Ａについて説明するが、他の遊戯領域２Ｂ〜２Ｄについても同様な構造である。
図１に示すように、景品払い出しゲーム機１は、ゲーム機本体１０と、景品払い出しゲーム機１の内部と外部とを仕切るために設けられた、透光性を有するカバー部材５０とを備えている。
【００２３】
ゲーム機本体１０は、本体ケース１１と、回転テーブル１２と、４つのクレーン部１３と、４つの景品押し出し装置１５と、４つの操作部２０と、４つの景品取り出し口２５とを備えている。
本体ケース１１は、景品払い出しゲーム機１の筐体部分であり、筒状に形成されている。本体ケース１１は、中心軸Ｚ１が鉛直方向になるように設置される。本体ケース１１は、例えば、４人程度が同時に独立して遊戯できるように直径が１０００ｍｍ程度の大きさである。
回転テーブル１２は、景品Ｇを収容するための容器であり、本体ケース１１内の下側の範囲に設けられている。回転テーブル１２は、その下側に回転機構（図示せず）が設けられ、本体ケース１１の中心軸Ｚ１を中心に回転可能である。
【００２４】
４つのクレーン部１３は、回転テーブル１２の景品Ｇを拾い上げ、後述する景品押し出し装置１５に落下させるためのクレーンを模した装置である。
図２に示すように、クレーン部１３は、アーム部材１３１と、クレーンケース部材１３２と、景品把持部材１３３とを備えている。
【００２５】
アーム部材１３１は、腕状の部材であり、その片方の端部に後述するクレーンケース部材１３２が設けられ、もう片方の端部が支柱１４に水平方向の軸Ｘ１を中心に回転可能（回転方向θ１）に設けられている。アーム部材１３１は、後述する操作部２０からの入力に応じてモータ（図示せず）により回転駆動される。
【００２６】
クレーンケース部材１３２は、後述する景品把持部材１３３を保持する筐体であり、アーム部材１３１の端部に水平方向の軸Ｘ２を中心に回転可能（回転方向θ２）に設けられている。クレーンケース部材１３２は、景品把持部材１３３が常時下側になるように、アーム部材１３１のもう片方の端部に吊り下がるようにして設置されている。
景品把持部材１３３は、回転テーブル１２上の景品Ｇを拾い上げるために、くの字形に形成された２つの細形ハンド１３３ａが対向配置された部材である。細形ハンド１３３ａは、支軸１３４を中心として開閉可能（回転方向θ３，θ４）に、クレーンケース部材１３２に保持される。景品把持部材１３３は、後述する操作部２０からの入力に応じてモータ（図示せず）により開閉して、景品Ｇを掴んだり、落下させることができる。
【００２７】
４つの景品押し出し装置１５は、図１に示すように、クレーン部１３によって運ばれた景品Ｇを、景品獲得口２５ａ（遊戯領域２Ｂ参照）に押し出すための装置である。景品押し出し装置１５については、後に詳述する。
【００２８】
４つの操作部２０は、景品払い出しゲーム機１のクレーン部１３を操作するために、本体ケース１１の円環状に形成された縁部に配置されている。操作部２０は、クレーン部１３の駆動を開始するための開始ボタン２１と、景品把持部材１３３を開閉して景品Ｇを落下するための落下ボタン２２とを備えている。
景品取り出し口２５は、遊戯者が獲得した景品Ｇを、景品獲得口２５ａから外部へ払い出すための払い出し口である。景品取り出し口２５は、本体ケース１１の操作部２０の下側の範囲に設けられている。
【００２９】
以上説明した景品払い出しゲーム機１の動作について説明する。
最初に、遊戯者は、回転テーブル１２に配置された景品Ｇとクレーン部１３との位置関係、タイミング等を見計らって開始ボタン２１を押す。これにより、クレーン部１３のアーム部材１３１が軸Ｘ１を中心に回転を始める。そして、景品把持部材１３３が移動範囲の最下点付近に移動したときに、景品Ｇを掴んだときは、景品Ｇは、景品把持部材１３３に掴まれた状態で上側に上昇する。
【００３０】
次に、遊戯者は、クレーン部１３、景品押し出し装置１５の位置関係等を見計らって落下ボタン２２を押して、景品Ｇを景品押し出し装置１５の上に落下させる。以上の動作が次々に繰り返されることにより、複数の景品Ｇが景品押し出し装置１５に蓄積され、後述するように、景品取り出し口２５の方向に押し出される。そして、最終的に景品Ｇが景品獲得口２５ａに落下することにより、遊戯者は、景品取り出し口２５から景品Ｇを獲得することができる。
【００３１】
次に、景品押し出し装置１５の構造等について詳しく説明する。
図３は、景品押し出し装置１５を示す図であり、図３（ａ）は、景品押し出し装置１５の全体を示す斜視図、図３（ｂ）は、景品押し出し部の基部への取り付けを示す斜視図である。
図４，図５は、軸部材の取り付けの変更例を示す斜視図である。
図６は、景品押し出し部の形態の変更例を示す斜視図である。
景品押し出し装置１５は、図３（ａ）に示すように、プッシャ台座１６と景品押し出し部材１８と、回転保持部１９（回転機構）とを備えている。
【００３２】
プッシャ台座１６は、クレーン部１３が落下させた景品Ｇを受け止め載置する部分である。プッシャ台座１６は、複数の軸部材１６１と、ホルダ部１６２とを有している。
複数（本実施例では、１５本）の軸部材１６１は、景品Ｇを載置するための景品載置部を形成するための部材である。軸部材１６１は、例えば、ＡＢＳ樹脂等から形成され、図３（ａ）の左側に示すように、後述するホルダ部１６２に設けられた取り付け穴１６３ａ，１６４ａに、弾性変形させながら取り付けることにより、ホルダ部１６２に着脱可能に保持される。軸部材１６１は、軸方向が景品押し出し方向になるように配置され、その上側の部分が景品載置部を形成し、また、軸部材１６１間の隙間は、景品押し出し方向に対して平行に複数のスリットＳを形成する。
スリットＳは、景品載置部における幅方向への景品Ｇの転がり防止機能として作用するので、例えば、カプセルＧ１のような球体の景品を扱うことができる。また、スリットＳは、景品載置部と景品Ｇとの接触面積を小さくするので、ゴム製品等の摩擦抵抗が大きい景品Ｇを、適切に押し出すことができる。
【００３３】
軸部材１６１は、後述するホルダ部１６２に着脱可能であるので、軸部材１６１を選択的に取り付けることにより、景品載置部の形態を変更することができる。
例えば、図４（ａ）、図４（ｂ）に示すように、ホルダ部１６２に取り付ける軸部材１６１の本数を７本又は１１本にすることにより、景品載置部の幅を小さくすることができる。これにより、クレーン部１３（図１、図２参照）が景品載置部に景品Ｇを落下するときの難易度を調整することができる。また、図４（ｃ）に示すように、左側に偏らせて軸部材１６１を取り付けることにより、遊戯をより面白くすることができる。
【００３４】
さらに、図５に示すように、軸部材１６１を間引いて取り付けて、スリットＳの幅を変更することができる。
図５（ａ）は、軸部材１６１を１本おきに間引いて幅が広いスリットＳ１を設けた例、図５（ｂ）は、軸部材１６１を２本ずつ間引いて計４本外し、幅がより広い２つのスリットＳ２を設けた例、図５（ｃ）は、中央５本の軸部材１６１を間引いて、幅がさらに広いスリットＳ３を設けた例をそれぞれ示す図である。
図５（ｃ）に示すように、スリットＳ３は、幅が広いので、腕時計Ｇ２は、比較的大きい景品であるが、スリットＳ３から落下する。このため、景品載置部に載置するための難易度が高い。
このようにして、プッシャ台座１６は、スリットＳの幅が変更可能であり、景品Ｇの大きさに応じてスリットＳから落下させることができ、遊戯の難易度を調整することができる。なお、軸部材１６１の本数を増減して景品載置部の幅を変更することにより、より多くの大きさの景品を扱うことができる。
【００３５】
ホルダ部１６２は、図３（ａ）に示すように、軸部材１６１を保持するための部材であり、ホルダ部材１６３，１６４から構成される。
ホルダ部材１６３は、幅方向に細長く形成された直方体の部材である。ホルダ部材１６３は、景品押し出し方向前側の側面に、軸部材１６１を保持するために、複数（本実施例では、１５個）の取り付け穴１６３ａが幅方向に一列に設けられている。
ホルダ部材１６４は、ホルダ部材１６３と同様な部材であり、景品押し出し方向後側の側面に設けられた取り付け穴１６４ａ（図３（ａ）には、１つのみ破線で示す。）が、取り付け穴１６３ａに対向するように配置される。
ホルダ部材１６３，１６４は、その中央部下側に景品押し出し方向の軸Ｘ３が中心軸になるように回転軸（図３（ａ）には、１６４の回転軸１６４ｂのみ示す。ホルダ１６３の回転軸は、軸部材１６１等に遮られ見えない。）が設けられ、軸Ｘ３回りに回転可能に、後述する回転保持部１９に保持される。
【００３６】
景品押し出し部材１８は、図３（ａ）に示すように、プッシャ台座１６に載置された景品Ｇを景品押し出し方向前側（景品獲得口２５ａ側）に押し出すための部材である。景品押し出し部材１８は、複数の押し出し棒１８１（景品押し出し部）と、基部１８２と、駆動軸１８３とから構成される。
複数（本実施例では、６本）の押し出し棒１８１は、プッシャ台座１６に載置された景品Ｇを押し出すための部材である。押し出し棒１８１は、スリットＳから突出するように設けられ、この突出した部分が、景品Ｇを押し出す部分である。押し出し棒１８１は、後述する基部１８２に着脱可能に設けられ、景品押し出し方向に往復移動可能に保持される。
【００３７】
押し出し棒１８１は、選択的に基部１８２に取り付けることにより、押し出し棒１８１間の間隔を変更することができる。そして、例えば、扱う景品Ｇの大きさに応じてこの間隔を変更することができる。複数の大きさの景品Ｇを扱う場合には、小さい景品のみがこの隙間を通り抜けることができるように間隔を調整して、景品Ｇの種類毎に押し出しやすさを調整することができる。また、本実施例では、図３（ａ）に示すように、左側の２本の押し出し棒１８１は、３本の軸部材１６１を間に挟んで設けられているのに対して、右側の２本の押し出し棒１８１は、２本の軸部材１６１を挟んで設けられている。すなわち、右側の隙間Ｄ２の方が、左側の隙間Ｄ１よりも小さいので、右側の方が景品Ｇを押し出し易い。このように、景品載置部の位置に応じて景品Ｇの押し出しやすさを変更することができ、遊戯をより面白くすることができる。
【００３８】
基部１８２は、押し出し棒１８１を保持するための部材である。基部１８２は、幅方向に細長い棒状の部材であり、複数の押し出し棒１８１が幅方向に一列に保持される。図３（ｂ）に示すように、基部１８２は、複数の取り付け穴１８２ａが設けられ、これに押し出し棒１８１が適度な締め付け力により圧入されることにより、押し出し棒１８１を着脱可能に保持する。
【００３９】
基部１８２は、図６に示すように、その取り付け穴１８２ａを利用して、押し出し棒１８１の代わりに、異なる形態の景品押し出し部を取り付けることができる。
図６（ａ）は、景品押し出し部を、半円板１８４に変更した例を示す図である。半円板１８４は、図６（ａ−1）に示すように、板の平面の向きが幅方向になるように配置される。半円板１８４は、図６（ａ−２）に示すように、軸部１８４ａの一端に半円部１８４ｂが設けられている。また、半円板１８４は、軸部１８４ａのもう一端が基部１８２の取り付け穴１８２ａに圧入されることにより、基部１８２に着脱可能に取り付けられる。半円部１８４ｂは、景品押し出し方向における縦断面（幅方向に対して垂直な面による断面）の外形が半円状であり、景品押し出し方向前側の部分１８４ｃ及び後側の部分１８４ｄに、なだらかな曲線部を有している。これにより、景品Ｇは、半円板１８４が景品押し出し方向に移動したときに、その重量、大きさ等の条件に応じて、景品押し出し方向前側の部分１８４ｃ又は後側の部分１８４ｄに乗り上げ、さらに、半円板１８４を乗り越すことができる。例えば、景品Ｇは、クレーン部１３により落下されたときに、景品載置部の半円板１８４よりも景品押し出し方向前側に載置された場合、半円板１８４を乗り越して、その反対側（景品押し出し方向後側）に移動する。逆に、景品載置部の半円板１８４よりも景品押し出し方向後側に載置された場合、反対側（景品押し出し方向前側）に移動する。
【００４０】
図６（ｂ）は、景品押し出し部を、傘部材１８５に変更した例を示す図である。傘部材１８５は、軸部１８５ａの一端に傘部１８５ｂが設けられ、半円板１８４と同様に、基部１８２に着脱可能に取り付けられる。傘部１８５ｂは、幅方向に細長い台状の部分であり、基部１８２に対して平行に配置され、複数の軸部１８５ａに支えられる。傘部１８５ｂは、景品押し出し方向における縦断面の外形が傘状の斜面であり、景品押し出し方向前側の部分１８５ｃ及び後側の部分１８５ｄに、垂直壁よりも傾斜のある部分（なだらかな直線部）を有している。これにより、半円板１８４と同様に、景品Ｇが傘部材１８５を乗り越えることができる。また、傘部１８５ａは、幅方向に連続した形状であるので、より確実に景品Ｇを押し出すことができる。
【００４１】
図６（ｃ）は、景品押し出し部の一部を、球１８６に変更した例を示す図である。球１８６は、軸部１８６ａの一端に球体１８６ｂが設けられ、基部１８２に着脱可能に取り付けられる。球体１８５ｂは、その上側の部分のうち、景品押し出し方向前側及び後側の部分が、なだらかな曲線部であるので、半円板１８４と同様に、景品Ｇが球１８６を乗り越えることができる。また、軸部１８６ａの高さが異なる複数の球１８６を設けることにより、幅方向の位置に応じて、スリットＳからの突出量が変化する。このため、景品押し出し方向からの投影形状（図６（ｃ−１）にその概形１８６ｅを示す。）に、その面積を部分的に拡大する面積拡大部１８６ｆ〜１８６ｈを有する。これにより、幅方向における位置に応じて景品Ｇを押し出すための面積が異なり、景品Ｇの押し出しやすさが変化するので、遊戯の面白さを向上することができる。また、景品押し出し部と景品Ｇとが接触する面積が大きくなるので、景品Ｇの損傷を防止することができる。
【００４２】
このようにして、景品押し出し部材１８は、複数の形態の景品押し出し部を交換して取り付けることにより、景品押し出し動作に変化をつけて、遊戯の難易度を調整することができ、また、遊戯の面白さを向上することができる。なお、景品押し出し部は、景品押し出し方向前側に、なだらかな曲線部又は直線部の部分のうちどちらか一方を有するものでもよく、あるいは、なだらかな曲線部と直線部の部分とを組み合わせて有するものでもよい。景品押し出し方向後側についても、同様である。
【００４３】
駆動軸１８３は、図３（ａ）に示すように、押し出し棒１８１、基部１８２を、景品押し出し方向に往復移動するための部材である。駆動軸１８３は、基部１８２の中央から景品押し出し方向後側に向けて設けられている。駆動軸１８３は、駆動部（図示せず）により駆動され、押し出し棒１８１と基部１８２とを一体で景品押し出し方向に往復移動する。駆動軸１８３は、ホルダ部１６２の回転軸（軸Ｘ３）と同軸に回転可能（回転方向θ５）に保持されている。
【００４４】
回転保持部１９は、プッシャ台座１６と景品押し出し部材１８とを、景品押し出し方向の軸Ｘ３回りに回転可能に保持する保持部である。
回転保持部１９は、ゲーム機本体１０（図１参照）に固定された腕状のステー１９ａの先端に、軸受け部１９ｂが設けられている。回転保持部１９は、この軸受け部１９ｂに、ホルダ部材１６４の回転軸１６４ｂが挿入され、ホルダ部材１６４を回転可能に保持している。また、回転保持部１９と同様な保持部（図示せず）が、ホルダ部材１６３側にも設けられており、ホルダ部材１６３と景品押し出し部材１８とを、一体で回転可能に保持する。これにより、回転保持部１９等は、プッシャ台座１６と景品押し出し部材１８とを、これらの重心の偏りに応じて、景品押し出し方向の軸Ｘ３回りに回転可能（回転方向θ５）に保持する。
なお、本実施例の景品押し出し装置１５は、駆動軸１８３等を部品が小さい部品であるので、シンプルかつ小型にすることができる。また、プッシャ台座１６の下側に基部１８２、駆動軸１８３のみが配置され、このスペースを有効利用可能であるので、回転保持部１９を設けることに、より適している。
【００４５】
次に、以上説明した景品押し出し装置１５の動作について説明する。
図７は、景品押し出し装置１５の動作を示す図であり、図７（ａ）は、クレーン部１３（図１，図２参照）が落下した景品Ｇが景品押し出し装置１５に載置されようとしている状態、図７（ｂ）は、景品Ｇが景品押し出し方向に移動する状態を示す図である。
図７（ａ）の状態は、プッシャ台座１６の景品載置部の景品押し出し方向前側の部分に、景品Ｇが蓄積され、また、遊戯者の操作により、景品Ｇが幅方向右側に偏って落下された状態である。
そして、図７（ｂ）に示すように、景品Ｇが景品載置部の右側に偏って載置されたことにより、プッシャ台座１６と景品押し出し部材１８との重心は、幅方向右側に偏る。プッシャ台座１６と景品押し出し部材１８とは、回転保持部１９等により回転可能に保持されているので、景品押し出し方向の軸Ｘ３を中心に回転方向θ５（時計回り）に回転する。そして、景品Ｇの一部がプッシャ台１６の幅方向右側から落下し、再び回転テーブル１２へと配置される。このため、遊戯者は、プッシャ台座１６のバランス等を考慮した戦略をたてる必要があり、遊戯をより楽しむことができる。
【００４６】
また、この場合、景品Ｇは菓子Ｇ３であり、その重量、大きさ等の条件により、一部の菓子Ｇ３が半円板１８４（景品押し出し部）を乗り越して、景品押し出し方向後側に移動する。残りの景品Ｇは、半円板１８４により、景品押し出し方向前側に押し出され、その一部がプッシャ台座１８から景品獲得口２５ａ（図１参照）に落下することにより景品取り出し口２５に払い出され、遊戯者は、景品Ｇを獲得することができる。
【００４７】
以上説明したように、実施例１の景品押し出し装置１５は、景品載置部が、着脱可能に設けられた複数の軸部材１６１を用いて形成され、景品押し出し方向に対して平行にスリットＳが設けられている。
スリットＳは、景品Ｇの転がり防止機能として作用するので、例えば、球体のカプセルＧ１を扱うことができる。また、スリットＳは、景品載置部と景品Ｇとの接触面積を小さくするので、摩擦抵抗が大きい景品Ｇを扱うことができる。このため、運営者等は、より多くの種類の景品Ｇを扱うことができる。さらに、プッシャ台１６は、軸部材１６１の本数等を変更することによりスリットＳの幅を変更して、景品Ｇの転がりやすさや、景品Ｇをその大きさに応じてスリットＳから落下させる等の調整ができるので、遊戯の難易度を調整することができる。
【００４８】
また、景品押し出し部材１８は、スリットＳから突出するように設けられ、景品押し出し方向に往復移動して景品Ｇを押し出す景品押し出し部（押し出し棒１８１等）を、着脱可能に保持する。
これにより、景品押し出し部の形態を、従来とは全く異なる形態とすることができ、遊戯の面白さを向上することができる。また、景品押し出し部の数を増減することにより、景品の押し出しやすさを調整したり、複数の形状の景品押し出し部を用意して交換することにより、景品押し出し部の形態を変更することができる。
【００４９】
さらに、景品押し出し装置１５は、プッシャ台座１６と景品押し出し部（押し出し棒１８１等）とを、景品押し出し方向の軸Ｘ３回りに回転する回転保持部１９等（回転機構）を備えているので、景品載置面から景品Ｇを落下させることができ、遊戯の面白さを向上することができる。
【実施例２】
【００５０】
次に、本発明を適用した景品押し出し装置の実施例２について説明する。なお、前述した実施例１と同様な機能を果たす部分は、重複する説明を適宣省略し、主に変更箇所について説明する。
実施例２の景品押し出し装置は、実施例１の押し出し棒１８１をその根本部分で屈曲可能にした装置である。
図８は、実施例２の景品押し出し部材２８等を示す側面図である。
図８（ａ）に示すように、実施例２の景品押し出し部材２８は、押し出し棒２８１（景品押し出し部）が、その根本部分にコイルばね２８１ａを備えている。このため、押し出し棒２８１は、景品押し出し方向を含む全方位に屈曲可能である。押し出し棒２８１は、図８（ｂ）に示すように、景品押し出し方向に移動して景品Ｇを押し出すときに、反対側（回転方向θ６）に屈曲する。
このため、景品Ｇは、その重量、大きさ等の条件に応じて押し出し棒２８１を乗り越して反対側に移動することができる。これにより、遊戯の面白を向上することができる。また、景品Ｇが押し出し棒２８１を乗り越さないときには、景品Ｇの移動距離は、押し出し棒２８１が屈曲するので、押し出し棒２８１の移動距離よりも小さくなる。これにより、遊戯の難易度を向上することができる。
【００５１】
また、押し出し棒２８１は、コイルばね２８１ａのばね定数等を変更することにより、その屈曲の程度が調整可能である。これにより、押し出し棒２８１は、景品Ｇの重量等の条件に応じた乗り越しやすさの調整を、実施例１の景品押し出し部（半円板１８４、傘部材１８５等）に比較して、より簡便に行うことができる。さらに、押し出し棒２８１は、景品Ｇを押し出すときに屈曲するので、景品Ｇに無理な力が働かず、景品Ｇの破損を防止することができる。さらにまた、押し出し棒２８１の外観からは、その屈曲の程度が判断できないので、遊戯者の遊戯意欲の減退を防止することができる。
なお、押し出し棒は、屈曲できればよいので、コイルばね２８１ａを設ける代わりに、例えば、押し出し棒全体をゴム等の弾性体から形成させても、前述した効果と同様な効果を得ることができる。
【実施例３】
【００５２】
次に、本発明を適用した景品押し出し装置の実施例３について説明する。
実施例３の景品押し出し装置は、景品押し出し部を幅方向の軸回りに回転させる回転機構を設けた装置である。
図９は、実施例３の景品押し出し部材３８を示す図であり、図９（ａ）は、斜視図、図９（ｂ）は、回転駆動部を示す断面図である。
図９（ａ）に示すように、景品押し出し部材３８は、幅方向の軸Ｙ１回りの同一円周上に、４本の押し出し棒３８１（３８１−１〜３８１−４；景品押し出し部）が等間隔の角度（９０度）に配置されている。押し出し棒３８１は、幅方向に８列配置され、基部３８２に合計３２本の押し出し棒３８１が植設されている。基部３８２は、コの形に形成された保持部３８４に保持され、これにより、押し出し棒３８１と基部３８２とは、一体で幅方向の軸Ｙ１回りに回転可能とされる。保持部３８４は、駆動軸３８３に連結され、押し出し棒３８１、基部３８２及び保持部３８４は、一体で景品押し出し方向に往復移動する。
【００５３】
図９（ｂ）は、景品押し出し部材３８の軸Ｙ１を通る断面の一部を、景品押し出し方向（図９（ａ）に示す矢印Ｂ方向参照）から示す図である。
図９（ｂ）に示すように、保持部３８４の右側のケース３８４ａには、軸受３８４ｃと、モータ３８５とが収容されている。
軸受３８４ｃは、基部３８２の軸部３８２ａを、軸Ｙ１回りに回転可能に保持している。
モータ３８５は、押し出し棒３８１と基部３８２とを回転するための、例えば、ＤＣモータ等であり、その回転軸３８５ａが幅方向を向くように配置される。モータ３８５は、回転軸３８５ａに平ギアである駆動ギア３８５ｂが設けられている。この駆動ギア３８５ｂは、軸部３８２ａの先端に設けられた平ギアである被駆動ギア３８２ｃに接続している。モータ３８５は、後述するように、制御部により、所定の条件に応じて規則的に、又は不規則に回転駆動される。
【００５４】
なお、保持部３８４の左側のケース３８４ｂには、軸受３８４ｃと同様な軸受（図示せず）が収容され、基部３８２を回転可能に保持している。
以上の構造により、モータ３８５の駆動力が基部３８２に伝達され、押し出し棒３８１と基部３８２とが一体で、軸Ｙ１回りに回転する。
【００５５】
次に、以上説明した景品押し出し部材３８の動作について説明する。
図１０は、景品押し出し部材３８の景品押し出し動作を示す側面図である。
図１０（ａ）〜図１０（ｃ）は、通常時における、景品押し出し部材３８の動作である。景品押し出し部材３８は、景品押し出し方向前側（図１０に示す左側）に移動することにより、その押し出し棒３８１がプッシャ台座３６に載置された菓子Ｇ３のうち、例えば、４個程度を景品獲得口２５ａに落下させる。
【００５６】
ところが、例えば、図１０（ｂ）の状態から、景品押し出し部材３８が、さらに景品押し出し方向前側に移動して、図１０（ｃ）の状態に至るまでの間に、制御部（図示せず）は、所定の条件（後述する）に応じてモータ３８５を駆動させる。これにより、図１０（ｄ）に示すように、押し出し棒３８１と基部３８２とは、一体で軸Ｙ１回りに回転駆動（回転方向θ７）して、菓子Ｇ３を大量（例えば、１０個以上等）払い出すことができる。なお、制御部（図示せず）がモータ３８５を駆動させるタイミングは、景品押し出し部材３８が移動中のときに限らず、例えば、最前部に移動したときでもよい。
また、制御部が、モータ３８５を駆動させる条件は、例えば、遊戯回数、景品払い出しの回数をカウントし、所定の回数に達した場合等であるが、これに限らず、遊戯をより面白くするために、不規則にモータ３８５を駆動してもよい。
【００５７】
また、図１１に示す景品押し出し部材３８Ａのように、幅方向の軸Ｙ１回りに、長さ（大きさ）の異なる４つの押し出し棒３８１Ａ〜３８１Ｄ（景品押し出し部）を設けてもよい。これに、前述した回転機構を適用して、押し出し棒３８１Ａ〜３８１Ｄを幅方向の軸Ｙ１回りに所定の角度（９０度）毎回転することにより、プッシャ台座３６Ａの景品載置部と押し出し棒の先端との距離（スリットからの突出量）が変更可能である（図１１に２点鎖線で示す。）。これにより、景品Ｇの押し出しやすさを容易に変更することができる。
【００５８】
以上説明したように、実施例３の景品押し出し部材３８は、幅方向の軸Ｙ１回りに、複数の押し出し棒３８１（景品押し出し部）を備えている。そして、軸Ｙ１回りに、押し出し棒３８１を回転駆動することにより、プッシャ台座３６に載置された景品Ｇを景品獲得口２５ａに押し出して大量払い出しする。これにより、遊戯の面白さを向上することができる。また、遊戯者は、プッシャ台に載置された景品Ｇの蓄積状態に左右されずに、景品Ｇを取得することができる。
【実施例４】
【００５９】
次に、本発明を適用した景品押し出し装置の実施例４について説明する。
実施例４の景品押し出し装置は、プッシャ台座の景品載置部に凹凸を設けた装置である。
図１２は、実施例４のプッシャ台座４６等を示す図であり、図１２（ａ）、図１２（ｂ）は、軸部材４６１Ａ、４６１Ｂをそれぞれ示す斜視図、図１２（ｃ）は、プッシャ台座４６等の側面図である。
軸部材４６１Ａは、図１２（ａ）に示すように、景品押し出し方向の所定の間隔Ｄ２で鉛直方向にうねるように形成されており、その鉛直方向の高さが、景品押し出し方向の位置に応じて異なっている。
このため、図１２（ｃ）に示すように、プッシャ台座４６の景品載置部の高さは、軸部材４６１Ａが取り付けられた場合、景品移動方向の位置に応じて規則的に変化する。そして、プッシャ台座４６の景品載置部と押し出し棒４８１（景品押し出し部）の先端との距離は、高さＨ１〜Ｈ３で示すように、押し出し棒４８１の景品押し出し方向おける位置に応じて異なる。すなわち、スリットからの突出量が変化する。
これにより、景品Ｇの押し出しやすさは、押し出し棒４８１の景品押し出し方向おける位置に応じて変化するので、遊戯の面白さを向上することができる。
【００６０】
一方、軸部材４６１Ｂは、図１２（ｂ）に示すように、景品移動方向の位置に応じて不規則に鉛直方向にうねるように形成されており、その鉛直方向の高さが、景品押し出し方向の位置に応じて異なっている。このため、プッシャ台座４６の景品載置部の高さは、軸部材４６１Ｂが取り付けられた場合、景品移動方向及び幅方向に応じて異なる。これにより、景品Ｇの押し出しやすさは、景品載置部の位置に応じて変化するので、遊戯の面白さを向上することができる。
【００６１】
（変形例）
以上説明した実施例に限定されることなく、種々の変形や変更が可能であって、それらも本発明の均等の範囲内である。
（１）各実施例において、景品押し出し装置に景品を載置するために、クレーン部を用いた例を示したが、これに限定されない。他の景品搬送手段を用いて、景品押し出し装置に景品を載置してもよい。
【００６２】
（２）各実施例において、景品押し出し部材の基部、駆動軸は、プッシャ台の軸部材の下側に配置された例を示したが、これに限定されない。基部、駆動軸は、プッシャ台座の上側に配置してもよい。
【００６３】
（３）各実施例において、複数の景品押し出し部（押し出し棒等）が、幅方向に一列に配置された例を示したが、これに限定されない。例えば、景品押し出し部は、幅方向の位置に応じて、景品押し出し方向の位置を変えて配置してもよい。これにより、景品の押し出しやすさは、幅方向の位置に応じて変化するので、遊戯をより面白くすることができる。
【００６４】
（４）各実施例において、複数の景品押し出し部（押し出し棒等）が、１つの駆動軸により、一体で景品押し出し方向に移動する例を示したが、これに限定されない。例えば、複数の駆動軸を設け、景品押し出し部に位相差を持たせて景品押し出し方向へ移動してもよく、また、景品押し出し部毎に往復移動のストロークを変えてもよい。これにより、景品の押し出しやすさは、時間、プッシャ台の位置等の条件に応じて変化するので、遊戯を、より面白くすることができる。
【００６５】
（５）実施例１において、遊戯領域２Ａ〜４Ｄを備えた、４人用の景品払い出しゲーム機１の例を示したが、これに限定されない。景品押し出し装置を備えたゲーム機であればよい。例えば、図１３に示すように、ボックスタイプの２人用の景品払い出しゲーム機１Ａでもよく、また、１人用の景品払い出しゲーム機でもよい。
【００６６】
（６）実施例１において、プッシャ台座１６と景品押し出し部材１８とは、重心の偏りに応じて、景品押し出し方向の軸Ｘ３回りに回転する例を示したが、これに限定されない。例えば、プッシャ台座１６と景品押し出し部材１８とを、重心の偏りに関わらず回転するために、モータ等を備えた駆動機構を設けてもよい。
【００６７】
（７）実施例４において、軸部材４６１Ａ，４６１Ｂを設け、景品載置部の高さが、景品移動方向、あるいは景品移動方向及び幅方向の位置に応じて異なる例を示したが、これに限定されない。
例えば、図１４（ａ）に示すように、景品移動方向の位置に応じて不規則に鉛直方向にうねるように形成された同一形状の軸部材４６１Ｃを複数設けることにより、景品載置部の高さを、景品移動方向の位置に応じて変化するようにしてもよい。
また、図１４（ｂ）に示す平面図、正面図のように、真っ直ぐな軸状の軸部材４６１Ｄを、幅方向の位置に応じて、所定間隔Ｄ３で鉛直方向の高さが変化するように配置してもよい。これにより、景品載置部の高さを、幅方向の位置に応じて規則的に変化させることができる。
さらに、図１４（ｃ）に示す平面図、正面図のように、真っ直ぐな軸状の軸部材４６１Ｅを、幅方向の位置に応じて、鉛直方向の高さが不規則に変化するように配置してもよい。これにより、景品載置部の高さを、幅方向の位置に応じて不規則に変化させることができる。
このように、景品載置部の位置に応じて高さを変化させることにより、景品載置部の位置に応じて景品の押し出しやすさを変化させることができ、また、遊戯態様に変化をつけることができる。
【図面の簡単な説明】
【００６８】
【図１】本発明による実施例１の景品払い出しゲーム機を示す斜視図である。
【図２】実施例１のクレーン部を示す斜視図である。
【図３】実施例１の景品押し出し装置を示す斜視図である。
【図４】実施例１の軸部材の取り付けの変更例を示す斜視図である。
【図５】実施例１の軸部材の取り付けの変更例を示す斜視図である。
【図６】実施例１の景品押し出し部の形態を変更した例を示す斜視図である。
【図７】実施例１の景品押し出し装置の動作を示す図である。
【図８】本発明による実施例２の景品押し出し部材等を示す側面図である。
【図９】本発明による実施例３の景品押し出し部材を示す斜視図、駆動部を示す断面図である。
【図１０】実施例３の景品押し出し部材の景品押し出し動作を示す側面図である。
【図１１】実施例３の景品押し出し部材を変形した例を示す側面図である。
【図１２】本発明による実施例４のプッシャ台座等を示す側面図等である。
【図１３】変形例（５）の景品払い出しゲーム機を示す斜視図である。
【図１４】変形例（７）の景品載置部、軸部材を示す図である。
【符号の説明】
【００６９】
１    景品払い出しゲーム機
１６，４６  プッシャ台座
１８，２８，３８    景品押し出し部材
１９    回転保持部
２５ａ    景品獲得口
１６１，４６１Ａ〜４６１Ｅ    軸部材
１６２    ホルダ部
１８１，２８１，３８１    押し出し棒
１８２，３８２    基部
１８３    駆動軸
３８５    モータ
Ｇ    景品
【図１】
2007000401.tif 000003
【図２】
2007000401.tif 000004
【図３】
2007000401.tif 000005
【図４】
2007000401.tif 000006
【図５】
2007000401.tif 000007
【図６】
2007000401.tif 000008
【図７】
2007000401.tif 000009
【図８】
2007000401.tif 000010
【図９】
2007000401.tif 000011
【図１０】
2007000401.tif 000012
【図１１】
2007000401.tif 000013
【図１２】
2007000401.tif 000014
【図１３】
2007000401.tif 000015
【図１４】
2007000401.tif 000016